(57)【要約】【課題】間接活線作業で電線接続部に容易に着脱できる高圧端子カバーを提供する。【解決手段】高圧端子カバー１は、電線接続部１０及び電線接続部近傍１１が出し入れされる開口部５を有する絶縁性樹脂材料製のカバー本体４と、カバー本体４の開口部５に対向するように且つ回動可能に取り付けられた絶縁性樹脂材料製の一対の操作レバー２，２と、を備えている。一対の操作レバー２，２は、電線接続部近傍１１の略Ｖ字状空間２２に係合し、電線接続部１０及び電線接続部近傍１１が開口部５から抜け出るのを防止する閉姿勢から、電線接続部１０及び電線接続部近傍１１が開口部５を通過するのを可能にする開姿勢まで、間接活線工具２５によって回動操作される。また、一対の操作レバー２，２は、ばね１７の弾性付勢力で開姿勢から閉姿勢に戻されるようになっている。【選択図】図１
2018074694.tif 000002
【特許請求の範囲】
【請求項１】
一対の電線の露出した芯線同士を蓄力コネクタで並列に接続してなる電線接続部と、
この電線接続部から略Ｖ字状に分岐する前記一対の電線の電線接続部近傍と、
を覆って保護する高圧端子カバーにおいて、
ａ．前記電線接続部及び前記電線接続部近傍が出し入れされる開口部を有する絶縁性樹脂材料製のカバー本体と、前記カバー本体の前記開口部に対向するように且つ回動可能に取り付けられた絶縁性樹脂材料製の一対の操作レバーと、を備え、
ｂ．前記一対の操作レバーは、
・前記電線接続部近傍で且つ前記一対の電線と前記蓄力コネクタとによって形作られた略Ｖ字状空間に係合し、前記電線接続部及び前記電線接続部近傍が前記開口部から抜け出るのを防止する閉姿勢から、前記電線接続部及び前記電線接続部近傍が前記開口部を通過するのを可能にする開姿勢まで、回動できるようになっており、
・一方の操作レバーの先端部分と他方の操作レバーの先端部分が前記カバー本体内で相対回動可能に凹凸係合され、前記先端部分の凹凸係合する箇所に永久磁石が固定され、前記永久磁石の磁力で前記閉姿勢に保持され、
・前記カバー本体の外部に露出した外部レバー部分を間接活線工具によって回動操作できるようになっており、
ｃ．前記一方の操作レバーと前記カバー本体及び前記他方の操作レバーと前記カバー本体には、ばねがそれぞれ掛け渡されており、
ｄ．前記ばねは、前記一対の操作レバーが前記閉姿勢から前記開姿勢まで回動させられると、前記一対の操作レバーを前記開姿勢から前記閉姿勢に戻す弾性付勢力を蓄える、
ことを特徴とする高圧端子カバー。
【請求項２】
一対の電線の露出した芯線同士を蓄力コネクタで並列に接続してなる電線接続部と、
この電線接続部から略Ｖ字状に分岐する前記一対の電線の電線接続部近傍と、
を覆って保護する高圧端子カバーにおいて、
ａ．前記電線接続部及び前記電線接続部近傍が出し入れされる開口部を有する絶縁性樹脂材料製のカバー本体と、前記カバー本体の前記開口部に対向するように且つ回動可能に取り付けられた絶縁性樹脂材料製の一対の操作レバーと、を備え、
ｂ．前記一対の操作レバーは、
・前記電線接続部近傍で且つ前記一対の電線と前記蓄力コネクタとによって形作られた略Ｖ字状空間に係合し、前記電線接続部及び前記電線接続部近傍が前記開口部から抜け出るのを防止する閉姿勢から、前記電線接続部及び前記電線接続部近傍が前記開口部を通過するのを可能にする開姿勢まで、回動できるようになっており、
・一方の操作レバーの先端部分と他方の操作レバーの先端部分が前記カバー本体内で相対回動可能に凹凸係合され、前記先端部分の凹凸係合する箇所に永久磁石が固定され、前記永久磁石の磁力で前記閉姿勢に保持され、
・前記カバー本体が間接活線工具によって把持され、前記カバー本体が前記電線接続部及び前記電線接続部近傍に対して移動させられることによって回動させられ、
ｃ．前記一方の操作レバーと前記カバー本体及び前記他方の操作レバーと前記カバー本体には、ばねがそれぞれ掛け渡されており、
ｄ．前記ばねは、前記一対の操作レバーが前記閉姿勢から前記開姿勢まで回動させられると、前記一対の操作レバーを前記開姿勢から前記閉姿勢に戻す弾性付勢力を蓄える、
ことを特徴とする高圧端子カバー。
【請求項３】
前記一対の操作レバーは、前記閉姿勢にある前記先端部分を前記カバー本体の外方に回動させて前記開姿勢にすることができる、
ことを特徴とする請求項１に記載の高圧端子カバー。
【請求項４】
前記一対の操作レバーは、前記閉姿勢にある前記先端部分を前記カバー本体の内方に回動させて前記開姿勢にすることができ、
前記カバー本体は、前記開姿勢にある前記一対の操作レバーの前記先端部分の間に前記略Ｖ字状空間が位置するように、前記電線接続部及び前記電線接続部近傍を収容できるようになっている、
ことを特徴とする請求項１に記載の高圧端子カバー。
【請求項５】
前記一対の操作レバーは、前記閉姿勢にある前記先端部分を前記カバー本体の外方に回動させて前記開姿勢にすることができると共に、前記閉姿勢にある前記先端部分を前記カバー本体の内方に回動させて前記開姿勢にすることができ、
前記カバー本体は、前記開姿勢にある前記一対の操作レバーの前記先端部分の間に前記略Ｖ字状空間が位置するように、前記電線接続部及び前記電線接続部近傍を収容できるようになっている、
ことを特徴とする請求項１に記載の高圧端子カバー。
【発明の詳細な説明】
【技術分野】
【０００１】
この発明は、一対の電線の露出した芯線同士が並列に配置されて蓄力コネクタで接続されてなる電線接続部を覆って保護する高圧端子カバーに関し、特に、間接活線作業で電線接続部に容易に着脱できるようにした高圧端子カバーに関する。
【背景技術】
【０００２】
従来から、高圧配電線路に配置されるキュービクル式高圧受電設備は、金属製の外箱の内部に計器用変成器を設置する場合、計器用変成器から引き出された１次側のリード線（電線）の露出した端末（芯線）と高圧電線の露出した端末（芯線）とを並列に配置して蓄力コネクタで接続し、この電線接続部（蓄力コネクタ及び一対の芯線）を高圧端子カバーで覆って保護している。
【０００３】
図６乃至図９は、従来から使用されている高圧端子カバー１００を示す図である。これらの図に示すように、高圧端子カバー１００は、有底筒形状の絶縁性樹脂材料製のカバー本体１０１と、このカバー本体１０１の上部開口端１０２に取り付けられる絶縁性樹脂材料製のキャップ１０３と、カバー本体１０１のロックピン挿入穴１０４及びキャップ１０３のロックピン挿入穴１０５に係合されて、カバー本体１０１及びキャップ１０３を一体化する絶縁性樹脂材料製のロックピン１０６と、からなっている。このような高圧端子カバー１００は、キャップ１０３及びロックピン１０６がカバー本体１０１から取り外された状態において、カバー本体１０１の内部に電線接続部１０７が収容される（図８参照）。その後、この高圧端子カバー１００は、開かれた状態のキャップ１０３がヒンジ部１０８を回動中心として閉じられてカバー本体１０１の上部開口端１０２に固定され、キャップ１０３の一対の電線係合穴１１０，１１１に蓄力コネクタ１１２から分岐する一対の電線１１３，１１３が別々に係合される。なお、キャップ１０３は、半割状態の第１キャップ部１０３ａと第２キャップ部１０３ｂとがヒンジ部１０８によって回動可能に支持されており、第１キャップ部１０３ａの先端の第１突片１１４のフック１１４ａを第２キャップ１０３ｂの先端の第２突片１１５のフック係合穴１１５ａに弾性変形させた状態で係合することにより、半割状態の第１キャップ部１０３ａと第２キャップ部１０３ｂを閉じた状態で保持できるようになっている。
【０００４】
そして、高圧端子カバー１００は、カバー本体１０１にキャップ１０３が取り付けられた状態において、キャップ１０３及びカバー本体１０１の一方の側面側に形成されたロックピン挿入穴１０５，１０４にロックピン１０６を挿入すると共に、蓄力コネクタ１１２から分岐する一対の電線１１３，１１３の間にロックピン１０６を挿入し、さらにロックピン１０６の先端をカバー本体１０１及びキャップ１０３の他方の側面側に形成されたロックピン挿入穴１０４，１０５に挿入することにより、電線接続部１０７に取り付けられ、電線接続部１０７を覆って保護することができるようになっている。なお、ロックピン１０６は、その軸方向先端（一端）に球状部１１６が形成されており、球状部１１６の直径がキャップ１０３のロックピン挿入穴１０５の直径よりも僅かに大きく形成され、カバー本体１０１のロックピン挿入穴１０４よりも僅かに小さく形成されている。したがって、ロックピン１０６は、他端側の鍔状部１１７がキャップ１０３のロックピン取付部１１８に突き当たるまで、球状部１１６がキャップ１０３のロックピン挿入穴１０５の周縁部分を弾性変形させて係合させられると（挿通させられると）、キャップ１０３及びカバー本体１０１のロックピン挿入穴１０４，１０５から抜け出ることがない。一方、ロックピン１０６は、軸方向に沿って引っ張られるか又は押されることにより、一端側の球状部１１６がキャップ１０３のロックピン挿入穴１０５の周縁部分を弾性変形させてキャップ１０３及びカバー本体１０１のロックピン挿入穴１０５，１０４から抜け出ることにより、キャップ１０３及びカバー本体１０１から分離することができる。その結果、高圧端子カバー１００は、カバー本体１０１をキャップ１０３及び電線接続部１０７から分離することが可能になる（特許文献１及び２参照）。
【先行技術文献】
【特許文献】
【０００５】
【特許文献１】特開２００８−２５８０３９号公報（特に、段落０００２〜０００６、図７〜８参照）
【特許文献２】特開２０１５−７０７８４号公報（特に、段落０００６〜００１７、図７〜８参照）
【発明の概要】
【発明が解決しようとする課題】
【０００６】
しかしながら、従来の高圧端子カバー１００は、ロックピン１０６をキャップ１０３及びカバー本体１０１のロックピン挿入穴１０５，１０４に挿入する場合、及びロックピン１０６をキャップ１０３及びカバー本体１０１のロックピン挿入穴１０５，１０４から引き抜く場合に、ロックピン１０６を間接活線工具（例えば、絶縁ヤットコ）で把持して作業することができず、ロックピン１０６を人手によって直接操作しなければならかった。そのため、従来の高圧端子カバー１００は、電線接続部１０７に取り付ける場合、及び電線接続部１０７から取り外す場合に、間接活線作業を行うことができず、停電状態で作業しなければならないという不具合を有していた。
【０００７】
そこで、本発明は、間接活線作業で電線接続部に容易に着脱できる高圧端子カバーを提供することを目的とする。
【課題を解決するための手段】
【０００８】
本発明は、一対の電線７，７の露出した芯線７ａ，７ａ同士を蓄力コネクタ８で並列に接続してなる電線接続部１０と、この電線接続部１０から略Ｖ字状に分岐する前記一対の電線７，７の電線接続部近傍１１と、を覆って保護する高圧端子カバー１に関するものである。
本発明の高圧端子カバー１において、
ａ．前記電線接続部１０及び前記電線接続部近傍１１が出し入れされる開口部５を有する絶縁性樹脂材料製のカバー本体４と、前記カバー本体４の前記開口部５に対向するように且つ回動可能に取り付けられた絶縁性樹脂材料製の一対の操作レバー２，２と、を備え、
ｂ．前記一対の操作レバー２，２は、
・前記電線接続部近傍１１で且つ前記一対の電線７，７と前記蓄力コネクタ８とによって形作られた略Ｖ字状空間２２に係合し、前記電線接続部１０及び前記電線接続部近傍１１が前記開口部５から抜け出るのを防止する閉姿勢から、前記電線接続部１０及び前記電線接続部近傍１１が前記開口部５を通過するのを可能にする開姿勢まで、回動できるようになっており、
・一方の操作レバー２の先端部分３と他方の操作レバー２の先端部分３が前記カバー本体４内で相対回動可能に凹凸係合され、前記先端部分３，３の凹凸係合する箇所に永久磁石３１，３４が固定され、前記永久磁石３１，３４の磁力で前記閉姿勢に保持され、
・前記カバー本体４の外部に露出した外部レバー部分を間接活線工具２５によって回動操作できるようになっており、
ｃ．前記一方の操作レバー２と前記カバー本体４及び前記他方の操作レバー２と前記カバー本体４には、ばね１７がそれぞれ掛け渡されており、
ｄ．前記ばね１７は、前記一対の操作レバー２，２が前記閉姿勢から前記開姿勢まで回動させられると、前記一対の操作レバー２，２を前記開姿勢から前記閉姿勢に戻す弾性付勢力を蓄えるようになっている。
【発明の効果】
【０００９】
本発明に係る高圧端子カバーは、一対の操作レバーを間接活線工具で回動操作することにより、電線接続部を容易にカバー本体内に収容して保持することができると共に、電線接続部を容易にカバー本体内から抜き出すことができる。したがって、本発明に係る高圧端子カバーは、間接活線作業によって電線接続部に容易に着脱することが可能になり、電線接続部への着脱作業が効率化する。
【図面の簡単な説明】
【００１０】
【図１】本発明の高圧端子カバーを示す図であり、図１（ａ）は高圧端子カバーの正面図、図１（ｂ）は高圧端子カバーの平面図（図１（ａ）のＡ１−Ａ１線に沿って切断して示す平面図）、図１（ｃ）は高圧端子カバーの側面図である。
【図２】図１（ｂ）のＡ２−Ａ２線に沿って切断して示す高圧端子カバーの断面図である。
【図３】図３（ａ）は高圧端子カバーの一対の操作レバーの先端部分を示す外観斜視図であり、図３（ｂ）は図３（ａ）の一対の操作レバーの先端部分を分離して示す外観斜視図である。
【図４】本発明の第２変形例に係る高圧端子カバーを示す図であり、図１（ｃ）に対応する図である。
【図５】本発明の第３変形例に係る高圧端子カバーを示す図であり、図５（ａ）が高圧端子カバーを電線接続部に取り付ける作業を示す図、図５（ｂ）が高圧端子カバーを電線接続部から取り外す作業を示す図である。
【図６】図６（ａ）が従来の高圧端子カバーの正面図であり、図６（ｂ）が従来の高圧端子カバーの平面図である。
【図７】従来の高圧端子カバーを分解して示す図である。
【図８】従来の高圧端子カバーを構成するカバー本体に電線接続部を挿入した状態を示す図である。
【図９】図９（ａ）が従来の高圧端子カバーのロックピンを挿入する前の状態を示す正面図であり、図９（ｂ）が従来の高圧端子カバーのロックピンを挿入する前の状態を示す平面図であり、図９（ｃ）が開いた状態のキャップの平面図である。
【発明を実施するための形態】
【００１１】
以下、本発明の実施形態を図面に基づき詳述する。
【００１２】
図１乃至図３は、本実施形態に係る高圧端子カバー１を説明するための図である。なお、図１（ａ）は高圧端子カバー１の正面図であり、図１（ｂ）は高圧端子カバー１の平面図（図１（ａ）のＡ１−Ａ１線に沿って切断して示す平面図）であり、図１（ｃ）は高圧端子カバー１の側面図である。また、図２は、図１（ｂ）のＡ２−Ａ２線に沿って切断して示す高圧端子カバー１の断面図である。また、図３（ａ）は高圧端子カバー１の一対の操作レバー２，２の先端部分３，３を示す外観斜視図であり、図３（ｂ）は図３（ａ）の一対の操作レバー２，２の先端部分３，３を分離して示す外観斜視図である。
【００１３】
図１乃至図２に示すように、高圧端子カバー１は、絶縁性樹脂材料製のカバー本体４と、このカバー本体４の図中上方に位置する開口部５に回動可能に取り付けられた絶縁性樹脂材料製の一対の操作レバー２，２と、カバー本体４の開口部５に固定された絶縁性樹脂材料製の一対の蓋６，６と、を有している。この高圧端子カバー１は、一対の電線７，７の露出した芯線７ａ，７ａ同士を蓄力コネクタ８，８で並列に接続してなる電線接続部１０と、この電線接続部１０から略Ｖ字状に分岐する一対の電線７，７の電線接続部近傍１１とを覆って保護するようになっている。
【００１４】
カバー本体４は、平面視した形状が角丸長方形状の開口部５を有する有底筒状体であり、底１２の中央に通気口１３が設けられている。そして、このカバー本体４は、開口部５（カバー本体４の上端）の長手方向中央部を一対の操作レバー２，２で開閉できるようにするために、両側面１４，１４のそれぞれに操作レバー２を回動可能に支持する一対の支持アーム１５，１５が形成されている。そして、この一対の支持アーム１５，１５の間には、操作レバー２が回動可能に収容されるようになっている。また、一対の支持アーム１５，１５の先端には、操作レバー２を回動可能に支持する支持軸１６が取り付けられている。この支持軸１６には、操作レバー２を開姿勢（図１（ｃ）の二点鎖線で示す姿勢）から閉姿勢（図１（ｃ）の実線で示す姿勢）に戻すコイル状のばね１７が取り付けられている。ばね１７は、その一端が支持アーム１５のばね取付穴１８に収容されて固定され、その他端が操作レバー２のばね取付穴２０に収容されて固定され、支持アーム１５と操作レバー２とに掛け渡されている。
【００１５】
また、カバー本体４は、両側面１４，１４の長手方向中央部に、操作レバー２，２の回動を可能にするためのスリット２１が形成されている。このスリット２１は、カバー本体４の開口部５から底１２に向かって（図１（ａ），（ｃ）のＺ軸方向に沿って）形成されており、操作レバー２がカバー本体４に接触しないように、操作レバー４の回動角度を考慮した長さ及びスリット幅に形成されている。
【００１６】
また、カバー本体４は、電線接続部近傍１１で且つ一対の電線７，７と蓄力コネクタ８とによって形作られた略Ｖ字状空間２２が第１の開姿勢にある一対の操作レバー２ａ，２ａの先端よりも下方に位置し、一対の操作レバー２ａ，２ａの先端を略Ｖ字状空間２２に係合させることができる位置まで電線接続部１０が押し込まれることを可能にする深さ（開口部５から底１２までの長さ）になっている（図１及び図２参照）。
【００１７】
図１及び図２に示すように、操作レバー２，２は、閉姿勢（図１（ｃ）中の実線で示す姿勢）において、電線接続部近傍１１で且つ一対の電線７，７と蓄力コネクタ８とによって形作られた略Ｖ字状空間２２に係合し、電線接続部１０及び電線接続部近傍１１が開口部５から抜け出るのを防止できるようになっている。この操作レバー２，２は、図１（ｃ）に示す閉姿勢において、Ｙ軸方向（水平方向）に延びる第１レバー部２３と、この第１レバー部２３の端部から−Ｚ軸方向へ向かって屈曲する第２レバー部２４とが一体に形成されている。そして、操作レバー２の第１レバー部２３は、一対の支持アーム１５，１５間に収容され、一対の支持アーム１５，１５に取り付けられた支持軸１６で回動可能に支持されている。
【００１８】
また、図１（ｃ）に示すように、一対の操作レバー２，２は、閉姿勢から第１の開姿勢（２ａ，２ａ）又は第２の開姿勢（２ｂ，２ｂ）まで回動できるようになっている。そして、一対の操作レバー２，２の第１の開姿勢（２ａ，２ａ）は、閉姿勢にある先端部分（３，３）をカバー本体４の内方に向けて（−Ｚ方向に向けて）回動させることによって生じるようになっている。また、一対の操作レバー２，２の第２の開姿勢（２ｂ，２ｂ）は、閉姿勢にある先端部分３，３をカバー本体４の外方へ向けて（＋Ｚ方向に向けて）回動させることによって生じるようになっている。そして、一対の操作レバー２，２が第１の開姿勢（２ａ，２ａ）又は第２の開姿勢（２ｂ，２ｂ）にある場合、電線接続部１０及び電線接続部近傍１１が一対の操作レバー２，２の先端部分３，３の間を通過でき、電線接続部１０及び電線接続部近傍１１がカバー本体４の開口部５を通過することができる。その結果、高圧端子カバー１は、電線接続部１０及び電線接続部近傍１１に着脱することが可能になる。
【００１９】
また、一対の操作レバー２，２は、カバー本体４から外部に露出した外部レバー部分（第１レバー部２３の一部分及び第２レバー部２４）が間接活線工具２５（例えば、絶縁ヤットコ）によって回動操作できるようになっている。そして、この一対の操作レバー２，２が閉姿勢から第１の開姿勢（２ａ，２ａ）又第２の開姿勢（２ｂ，２ｂ）まで回動させられると、一対の操作レバー２，２を第１の開姿勢（２ａ，２ａ）又は第２の開姿勢（２ｂ，２ｂ）から閉姿勢に戻す弾性付勢力がばね１７に蓄積される。したがって、第１の開姿勢（２ａ，２ａ）又は第２の開姿勢（２ｂ，２ｂ）にある一対の操作レバー２，２から間接活線工具２５が離れると、一対の操作レバー２，２がばね１７の弾性付勢力で閉姿勢に戻される。
【００２０】
図３に示すように、一対の操作レバー２，２のうち、一方の操作レバー２は、平面視した形状が矩形形状の凹部２６が先端部分３に形成されている。この凹部２６は、一方の操作レバー２の表面２７側の形状と裏面２８側の形状が同一になるように形成されている。そして、この凹部２６の対向するように位置する一対の内側面３０，３０には、第１の永久磁石３１，３１がそれぞれ固定されている。また、一対の操作レバー２，２のうち、他方の操作レバー２は、一方の操作レバー２の凹部２６に凹凸係合する凸部３２が形成されている。この凸部３２は、平面視した形状が矩形形状であり、他方の操作レバー２の表面２７側の形状と裏面２８側の形状が同一になるように形成されている。そして、この凸部３２の両側面３３，３３には、凹部２６の第１の永久磁石３１，３１に引き付けられる第２の永久磁石３４，３４がそれぞれ固定されている。したがって、一対の操作レバー２，２は、先端部分３，３の凹凸係合する部分に固定された第１の永久磁石３１，３１及び第２の永久磁石３４，３４の磁力によって閉姿勢が保持されるようになっている（図１（ｂ）及び図３（ａ）参照）。また、一対の操作レバー２，２は、先端部分３，３の凹凸係合する部分に固定された第１の永久磁石３１，３１及び第２の永久磁石３４，３４の磁力及びばね１７の弾性力に抗して回動操作されることにより、閉姿勢から第１の開姿勢（２ａ，２ａ）又は第２の開姿勢（２ｂ，２ｂ）に移動させられる。なお、第１の永久磁石３１，３１と第２の永久磁石３４，３４は、そのうちの一方を永久磁石に引き付けられる金属部材（例えば、鉄）に代えてもよい。
【００２１】
図１及び図２に示すように、カバー本体４の開口部５には、第１の蓋６と第２の蓋６（一対の蓋）が固定されている。この第１の蓋６と第２の蓋６は、図１（ｂ）に示すように、カバー本体４の中心に対して左右対称の形状になっている。これらの蓋６は、支持アーム１５の側面に突き当てられた状態でカバー本体４の開口部５に固定されており、電線接続部１０及び一対の電線７，７の通過を可能にする切り欠き３５が形成され、この切り欠き３５の略Ｕ字形状の外縁に沿って合成樹脂材料又はゴムで形成された弾性変形片３６が多数取り付けられている。そして、これらの蓋６の弾性変形片３６は、電線接続部１０及び一対の電線７，７がカバー本体４に出し入れされる際に弾性変形し、電線接続部１０及び一対の電線７，７がカバー本体４の開口部５及び蓋６の切り欠き３５を通過するのを可能にすると共に、蓋６の切り欠き３５の外縁と電線７との間を塞ぐシール機能を発揮する。また、第１の蓋６と第２の蓋６との間には、一対の操作レバー２，２の回動を許容する十分な隙間が設けられている。
【００２２】
以上のような構造の本実施形態に係る高圧端子カバー１は、一対の操作レバー２，２を間接活線工具２５で回動操作することにより、電線接続部１０及び電線接続部近傍１１を容易にカバー本体４内に収容して保持することができると共に、電線接続部１０及び電線接続部近傍１１を容易にカバー本体４内から抜き出すことができる。したがって、本実施形態に係る高圧端子カバー１は、間接活線作業によって電線接続部１０に容易に着脱することが可能になり、電線接続部１０への着脱作業が効率化する。
【００２３】
また、本実施形態に係る高圧端子カバー１は、一対の操作レバー２，２の閉姿勢が一対の先端部分３，３の凹凸係合する箇所に設けられた永久磁石３１，３４の磁力で保持されるようになっているため、自重や風力等の外力によって電線接続部１０から容易に離脱することがない。
【００２４】
なお、本実施形態に係る高圧端子カバー１は、電気設備に関する技術基準を定める省令第２条に規定された電圧の種別における高圧の場合に限定されず、低圧の場合にも適用できる。
【００２５】
（第１変形例）
高圧端子カバー１は、上記実施形態のように、一対の操作レバー２，２が第１の開姿勢（２ａ）と第２の開姿勢（２ｂ）のいずれも可能な構成にしてもよく、また、一対の操作レバー２，２が第１の開姿勢（２ａ）と第２の開姿勢（２ｂ）のいずれか一方のみを可能な構成にしてもよい。
【００２６】
（第２変形例）
図４に示すように、一対の操作レバー２，２は、第２レバー部２４，２４の先端部分の外側面３７，３７を凹凸形状にすることにより、間接活線工具２５で把持された場合に、間接活線工具２５との間で滑りを生じ難くすることができる。その結果、一対の操作レバー２，２は、間接活線工具２５で確実に回動操作される。
【００２７】
（第３変形例）
高圧端子カバー１は、一対の操作レバー２，２が間接活線工具２５によって回動操作される構成に限定されず（上記実施形態に限定されず）、図５（ａ）に示すように、カバー本体４を間接活線工具２５で把持し、カバー本体４を間接活線工具２５で図中上方（＋Ｚ軸方向）に押し上げ、電線接続部１０及び電線接続部近傍１１をカバー本体４の内部に押し込むようにしてもよい。この際、閉姿勢にある一対の操作レバー２，２は、電線接続部１０及び一対の電線７の剛性によって押し開かれる。また、高圧端子カバー１は、図５（ｂ）に示すように、電線接続部１０及び電線接続部近傍１１をカバー本体４の内部に収容保持した状態において、カバー本体４を間接活線工具２５で把持した状態で下方に引き下げることにより、閉姿勢にある一対の操作レバー２，２を電線接続部１０及び一対の電線７の剛性によって押し開き、電線接続部１０から取り外すようにしてもよい。
【符号の説明】
【００２８】
１……高圧端子カバー、２……操作レバー、３……先端部分、４……カバー本体、５……開口部、７……電線、７ａ……芯線、８……蓄力コネクタ、１０……電線接続部、１１……電線接続部近傍、１７……ばね、２２……略Ｖ字状空間、２５……間接活線工具、３１……第１の永久磁石、３４……第２の永久磁石
【図１】
2018074694.tif 000003
【図２】
2018074694.tif 000004
【図３】
2018074694.tif 000005
【図４】
2018074694.tif 000006
【図５】
2018074694.tif 000007
【図６】
2018074694.tif 000008
【図７】
2018074694.tif 000009
【図８】
2018074694.tif 000010
【図９】
2018074694.tif 000011